(57)【要約】【課題】情報記録再生装置において、情報記録媒体の装填操作を行うに際して、操作者がカセットを挿入し、ローディング操作が完全に完了するまではカセット蓋の開閉操作を行えないようにするものであり、内部機構部品の破損、破壊等を防止できる情報記録再生装置を提供することを目的とする。【解決手段】情報記録媒体を保持しつつ、装填操作を行うための第１の位置と、この情報記録媒体に対する情報の授受をなすための第２の位置との間を移動可能に設けられたホルダを有し、このホルダを覆う外装の一部をなすように設けられた蓋体を有する。さらに、前記蓋に形成、あるいは取り付けられた部材と、移動可能に取り付けられた第２の部材を持ち、前記第１の位置では前記二つの部材が当接し蓋の閉動作が出来ず、前記第２の位置では、第２の部材が移動し、蓋に形成、取り付けられた部材との当接が解除され、蓋の閉動作が出来ることを特徴とする。【選択図】　　　　図１
2004005790.tif 000002
【特許請求の範囲】
【請求項１】
情報記録媒体を保持しつつ、この情報記録媒体の装填操作を行うための第１の位置と、この情報記録媒体に対する情報の授受をなすための第２の位置との間を移動可能に設けられたホルダを有し、上記ホルダが第１の位置にあるときには、このホルダを当該装置本体の外部に露呈させる開状態となるよう操作され、上記ホルダが第２の位置にあるときには、このホルダを覆う閉状態となるように操作されるようになされた上記装置本体の外装の一部をなす蓋体とを有し、
前記蓋体は、前記ホルダが第１の位置の時、あるいは第１から第２の位置の間では、閉方向に動作させることが出来ず、前記ホルダが第２の位置の時にのみ、閉方向へ動作させられることを特徴とする情報記録再生装置。
【請求項２】
前記蓋に取り付けられた部材と、移動可能に取り付けられた第２の部材を持ち、前記第１の位置では前記二つの部材が当接し蓋の閉動作が出来ず、前記第２の位置では、第２の部材が移動し、蓋に形成、取り付けられた部材との当接が解除され、蓋の閉動作が出来ることを特徴とする請求項１の情報記録再生装置。
【発明の詳細な説明】
【０００１】
【産業上の利用分野】
本発明は、ビデオカメラ等の情報記録再生装置における、媒体が装填されるホルダと該ホルダの蓋体の構造に関する。
【０００２】
【従来の技術】
近年、情報記録媒体が装填可能な情報記録再生装置として、カメラ一体型ＶＴＲをはじめ各種のものが広く普及している。上記カメラ一体型ＶＴＲ等においては、装置自体も小型化され、携帯にも便利なものが商品化されている状況にある。該ＶＴＲには、装填可能な情報記録媒体として、所謂８ｍｍテープ、ＤＶテープ等のコンパクトタイプ用の磁気記録テープを適用するものが普及している。
【０００３】
図４は、従来のコンパクトタイプのテープカセット１０１を横方向から装填するタイプの横型カメラ一体型ＶＴＲの一例を示す外観斜視図である。本ＶＴＲには、本体１０２にＸ型リンク機構１０３を介してローディング，アンローディング位置に移動可能なカセットホルダ１０４と、ローディング時に該カセットホルダ１０４を格納してＡ方向に移動可能なサブシャーシ１０５と、本体１０２に支持ピン１０６に回動自在に支持され、テープローディング状態で該カセットホルダ１０４を閉状態にする蓋体であるＬ型のカセット蓋１０７がそれぞれ配設されている。
【０００４】
また、１０８はメインシャーシでテープに記録再生するドラムシリンダー、その他、デッキを動作させる機構類（ともに図示せず）が配置されている。また、メインシャーシ１０８には、サブシャーシ１０５のスライド移動をガイド、固定する、スライド軸１０９、が植立されていて、これにサブシャーシ１０５がスライド移動可能に嵌合されている。
【０００５】
次に、一般的なカセット挿入から記録再生が出来る状態までの過程を簡略に説明する。
【０００６】
通常、このタイプのＶＴＲにおいて、テープカセット１０１をローディングする場合、図５の（Ａ）の側面図に示すアンローディング状態において、カセットホルダ１０４にＩ方向よりテープカセット１０１を装填する。そして、カセットホルダ１０４上に配設された操作部１１０部を押圧して、図中Ｂ方向へ押し下げ、該カセットホルダ１０４をローディング位置まで下げる。その後、カセットホルダ１０４は、ロック機構（図示せず）によりサブシャーシ１０５へロックされ、また、ロック完了を検知するＳＷ（図示せず）がオンとなり、サブシャーシ１０５は図中Ｃ方向へスライド移動を開始し、図５（Ｂ）に示す状態となる。さらにその後、サブシャーシ１０５の動作と関連して、メインシャーシ１０８上の機構部により、テープの引き出し、各種レバー等の指定位置への動作等が行われる。次にカセット蓋１０７を図中Ｄ方向へ押圧して閉状態にし、これも、図示していない本体１０２ロック機構により本体１０２へロックされ、図５（Ｃ）に示すようなローディング完了状態となり、記録、または、再生が行われる。
【０００７】
【発明が解決しようとする課題】
しかしながら、前記図４〜５に示した従来の横型のカメラ一体型ＶＴＲのカセットローディング動作においては、テープカセット１０１をカセットホルダ１０４に装填して、ローディング位置まで降下させる場合、正規に操作部１１０部を押圧すれば良いが、図６に示すように、一般の操作者は、直接、カセット蓋１０７を押圧して、カセットホルダ１０４を押し下げてしまうことがある。また、カセット蓋１０７の支点の位置によれば、図７のような位置関係になる場合もある。そのように、直接、カセット蓋１０７を押圧し、支持ピン１０６回りに回動させると、押圧の初期に図６、７に示したように、カセット蓋１０７の先端１１１、あるいは腹部１１２でカセットホルダ１０４の上面部１１３、角部１１４を斜めの押圧力Ｆ１で押圧することになり動作上好ましくない。即ち、上記斜めの押圧力Ｆ１は、垂直，水平方向分力Ｆ２，Ｆ３に分解され、そのうち、水平方向分力Ｆ３がカセットホルダ１０４のスムーズな降下動作の障害になるばかりでなく、カセットホルダ１０４を変形させることになり、具合が悪い。
【０００８】
さらに、図８のように、ローディング／アンローディング途中に、無理にカセット蓋１０７を閉じようとし、図中Ｅ方向へ力Ｐをかけた場合、カセットホルダ１０４、サブシャーシ１０５へ多大な力Ｆ３がかかる。これは、さらに、サブシャーシ１０５を介して、サブシャーシを動作させる内部部品（レバー、ギア等の機構部品）へ過大な力を伝えてしまい、場合によっては、内部部品のギアの破壊、レバーの変形など、機構部品の破損を招いてしまう。
【０００９】
本発明は、上述の不具合を解決するためになされたものであり、情報記録再生装置において、情報記録媒体の装填操作を行うに際して、操作者がカセットを挿入し、ローディング操作が完全に完了するまではカセット蓋の開閉操作を行えないようにするものであり、内部機構部品の破損、破壊等を防止できる情報記録再生装置を提供することを目的とする。
【００１０】
【課題を解決するための手段】
本発明の情報記録再生装置は、情報記録媒体を保持しつつ、この情報記録媒体の装填操作を行うための第１の位置と、この情報記録媒体に対する情報の授受をなすための第２の位置との間を移動可能に設けられたホルダを有し、上記ホルダが第１の位置にあるときには、このホルダを当該装置本体の外部に露呈させる開状態となるよう操作され、上記ホルダが第２の位置にあるときには、このホルダを覆う閉状態となるように操作されるようになされた上記装置本体の外装の一部をなす蓋体とを有し、前記蓋体は、前記ホルダが第１の位置の時、あるいは第１から第２の位置の間では、閉方向に動作させることができず、前記ホルダが第２の位置の時にのみ、閉方向へ動作させられることを特徴とする。
【００１１】
さらに、本発明の情報記録再生装置は、前記蓋に取り付けられた部材と、移動可能に取り付けられた第２の部材を持ち、前記第１の位置では前記二つの部材が当接し蓋の閉動作が出来ず、前記第２の位置では、第２の部材が移動し、蓋に形成、取り付けられた部材との当接が解除され、蓋の閉動作が出来ることを特徴とする。
【００１２】
（作用）
情報記録媒体を情報記録再生装置にローディングする場合、ホルダの第１の位置で装填した後、前記蓋体は、前記ホルダが第１の位置の時、あるいは第１から第２の位置の間では、閉方向に動作させることが出来ず、前記ホルダが第２の位置の時にのみ、閉方向へ動作させられる。
【００１３】
【発明の実施の形態】
以下、本発明の実施例を図に基づいて説明する。
【００１４】
図１（Ａ）は、本発明の一実施例を示す情報記録再生装置であるカメラ一体型ＶＴＲの磁気テープカセット装填可能状態を表した概略図である。また図２はこれを斜視図にしたものである。本図に示すように、本体１、カセットテープ２、カセット蓋３、カセット蓋の回転中心軸４を示し。本体１に取り付けられたメインシャーシ５上にスライドガイド軸６を介して、サブシャーシ７が、メインシャーシ５にスライド移動可能に嵌合されている。また、サブシャーシ７には、Ｘ型リンク機構８を介してカセットホルダー９が配置されている。
【００１５】
通常、一般ユーザーは、カセットテープ２を図中矢印Ｘ方向に向けてカセットホルダー９へ挿入する。次に、カセットホルダー９の押圧部１０を図中矢印Ｙ方向へ押して、カセットホルダー９を、サブシャーシ７へロック機構により（図示せず）、ロックさせる。このとき、やはり図示していないが、カセットホルダーロック検知ＳＷにより、カセットホルダー９のサブシャーシ７へのロックを検知し、ローディングモータ、ギア類、レバー類、ローディング機構等（それぞれ図示せず）により、図中矢印Ｚ方向へサブシャーシ７の移動が始まり、ローディングが開始される。
【００１６】
この時に、図２の斜視図に示すように、メインシャーシ５上には、ストッパ部材１３が、メインシャーシ５に植立された軸１１、１２によりストッパ部材１３のガイド溝１４に沿ってスライド移動可能に勘合されている。また、ストッパ部材１３は、バネかけ部１５とメインシャーシバネかけ部１６の間にかけられた、バネ１７により図のように符勢されている。
【００１７】
さらに、図１（Ａ）に示すように、カセット蓋３には、カセット蓋ストッパ１８が取り付けられている。
【００１８】
今、図１（Ａ）状態において、カセット蓋３を閉めようとすると、カセット蓋ストッパ１８が、ストッパ部材１３の１３ｂ部と当接し、カセット蓋３を閉めることが出来ない。
【００１９】
サブシャーシ７は、メインシャーシ５上をスライド移動していき、図１（Ｂ）の状態となり、スライド、ローディング完了状態となる。この時、サブシャーシ７の突き当て部１９が、ストッパ部材１３の１３ｃ部に当接し、ストッパ部材１３を図中矢印ａ方向へ移動させる。この状態では、カセット蓋３を閉じることが出来て、図１（Ｃ）のごとく、カセット蓋３を閉じて、ロック機構により（図示せず）ロックされ、通常の、記録、再生が可能になる。
【００２０】
アンロードの時は、この逆の動作となり、まず、図１（Ｃ）でカセット蓋３をロックを外し開く動作を行う。図１（Ｂ）まで開いた状態でローディング開始ＳＷ（図示せず）がオンとなり、アンローディングが開始される。アンローディングが開始されると、サブシャーシ７は図中矢印ａと逆方向へ移動し、サブシャーシ１９部でストッパ部材１３を押し、移動させていた状態が開放され、ストッパ部材１３は、図１（Ａ）、及び図２の状態となる。この時に、カセット蓋３はストッパ部１８と１３ｂによりアンロード途中で閉じることができなくなる。
【００２１】
次にソレノイドを使って電気的に動作させる第二の実施例について説明する。図３において、２０は小型ソレノイドを表し、２１は、ストッパ部材１３に取り付けられた、吸着板部を表す。今、図３（Ｃ）において、カセット蓋３のロックを外し、図中矢印へ蓋を開ける。図３（Ｂ）は、カセット蓋３が開ききる直前状態を示し、この状態ではまだアンロードが始まっていない。カセット蓋３が開ききった時に、アンロード開始のＳＷ（図示せず）がオンとなり、アンロードが開始される。それと同時に、ソレノイド２０への通電が発生し、ストッパ部材１３は、バネ（図示せず）で符勢されている図中矢印方向へ移動する。これにより、実施例１と同じく、カセット蓋３に取り付けられたストッパ部１８とストッパ部材１３の１３ｂ部の当接により、カセット蓋３はアンロード中は閉じることが出来なくなる。最終的に図３（Ａ）の状態になり、アンロードが完了、テープの取り出し、または、新たなカセットテープ２の挿入が可能になる。
【００２２】
新たなカセットテープを挿入し、実施例１と同じくローディングを開始するが、同様に、ローディング途中は、カセット蓋３に取り付けられたストッパ部１８とストッパ部材１３の１３ｂ部の当接により、カセット蓋３は閉じることが出来なくなる。
【００２３】
また、ローディング完了時には、メカ本体からのリンク機構により（図示せず）、ストッパ部材１３は、ソレノイド２０へ吸着する位置へと復帰させられて、図３（Ｂ）および（Ｃ）の状態となる。これにより、カセット蓋３は閉じることが出来るようになり、最終的に図３（Ｃ）の状態となり、記録、再生が可能な状態となる。この実施例２のように、ソレノイドを使う事により、アンロード開始直後に、カセット蓋３の閉じることを防止することが出来る。
【００２４】
【発明の効果】
以上説明したように、本発明によれば、下記の諸効果を有する；
本発明の情報記録再生装置は、情報記録媒体をローディングする場合、ホルダの第１の位置で装填した後、ホルダが記録再生が可能になる第２の位置に配置される事が完了するまで、蓋体を押圧操作することが出来なくなり、内部機構部品の破損、破壊等を防止できる。
【図面の簡単な説明】
【図１】（Ａ）は実施例の情報記録再生装置のカセット挿入時を示す側面図
（Ｂ）は実施例の情報記録再生装置のローディング完了状態を示す側面図
（Ｃ）は実施例の情報記録再生装置のローディング完了後、記録再生可能な状態を示す側面図
【図２】実施例の情報記録再生装置のカセット蓋のストッパ部を示す斜視図
【図３】（Ａ）〜（Ｃ）は第２の実施例を示す側面図
【図４】従来例を示す斜視図
【図５】（Ａ）〜（Ｃ）は従来例のカセット挿入動作を示す側面図
【図６】従来例の不具合点を示す側面図
【図７】従来例の不具合点を示す側面図
【図８】従来例の不具合点を示す側面図
【符号の説明】
１　本体
２　カセットテープ
３　カセット蓋
４　カセット蓋回転軸
５　メインシャーシ
６　スライド軸
７　サブシャーシ
８　Ｘリンク機構
９　ホルダ
１０　ホルダの押圧部
１１　軸
１２　軸
１３　ストッパ部材
１４　溝部
１５　バネかけ部
１６　バネかけ部
１７　バネ
１８　カセット蓋のストッパ部
１９　サブシャーシ蹴飛ばし部
２０　ソレノイド
２１　吸着部
【図１】
2004005790.tif 000003
【図２】
2004005790.tif 000004
【図３】
2004005790.tif 000005
【図４】
2004005790.tif 000006
【図５】
2004005790.tif 000007
【図６】
2004005790.tif 000008
【図７】
2004005790.tif 000009
【図８】
2004005790.tif 000010